(57)【要約】      （修正有）【課題】インターネット上で個人の食事摂取基準と食事の食品成分表を集計比較計算するプログラムを提供する。【解決手段】インターネット上で日本人の食事摂取基準から調べようとする個人の食事摂取基準と食事内容を日本食品標準成分表から食品名を選択し、且つ、食品の重さを入力することにより、個人の摂取基準と食事食品成分を集計比較計算する。【選択図】図１
2014056554.tif 000002
【特許請求の範囲】
【請求項１】
インターネット上で日本人の食事摂取基準から調べようとする個人の食事摂取基準と食事内容を日本食品標準成分表から食品名を選択し、且つ、食品の重さを入力することにより、個人の摂取基準と食事食品成分を集計比較計算する特徴のプログラム。
【請求項２】
１日分（三食分）と一食分を区別して請求項１から作成する特徴のプログラム。
【請求項３】
レシピーの食品成分表を請求項１の内、食品名と食品の重さを入力することにより作成する特徴のプログラム。
【発明の詳細な説明】
【技術分野】
【０００１】  この発明はインターネット上で個人の食事摂取基準と食事の食品成分表を集計比較計算するプログラムに関する。
【背景技術】
【０００２】  従来のプログラムはインターネット上では日本人の食事摂取基準（厚生労働省より公表）、食品標準成分表（文部科学省が公表）は別個に提示されている。
【発明の概要】
【発明が解決しようとする課題】
【０００３】  個人に合った、バランスのとれた食事のレシピを作成するには、食事摂取基準と食品標準成分表から計算をする必要があるため、同一単位に換算する必要ある。食品を選択して、食品の量を計算する必要ある。また、一食分の食事摂取基準は、一日の食事摂取基準から計算する必要がある。
そこで、この発明は、同一単位に換算したデーターを保存る、プログラを提供した。個人に合った食事摂取基準をボタンで選択できる、プログラムを提供する課題とする。
摂取する食事の食品は、該当する食品を選択し、且つ、重量を入力する事で計算できる、プログラムを提供する課題とする。
一日分の食事摂取基準又は、１食分の食事摂取基準をボタンで選択する、プログラムを提供する課題とする。
【課題を解決するための手段】
【０００４】  以上の課題を解決するために、第一の発明は、同一単位に換算した、データーをデータベースに保存して、ボタン操作で、個人の食事摂取基準及び食事をする食品標準成分の取り出しを可能にした、特徴のプログラム。
第二の発明は、個人が食品を摂取する食品を選択して、食品の量をグラム小数第一位まで入力できる、特徴のプログラム。
第三の発明は、個人に合ったバランスのとれた食事のレシピかを確認するため、同じページに選択した、食事摂取基準及び食品標準成分表を表示して、集計比較計算する、特徴のプログラム。
第四の発明は、一日分（三食分）及び一食分の食事摂取基準を区別して、選択できる、特徴のプログラム。
第五の発明は、料理レシピの食品成分表を作成できる、特徴のプログラム。
【発明の効果】
【０００５】  第一の発明、第二の発明、第三の発明、第四の発明、第五の発明によれば、インターネットを通じ、クライアントからサーバにリクエストすることにより、サーバからレスポンスがかえり、クライアントの元で操作して、個人に合った食事摂取基準の選択及び食事の食品を食品標準成分表から選択し、且つ、食品の重量を入力することにより集計比較計算された、食事成分表が作成される。そのことにより、バランスのとてた食事かどうか確認をする事が出来る。また、その食事成分表は、一日分又は一食分の選択が出来る。また、料理レシピーの食品を選択し、且つ、その重さを入力することにより、レシピの食品成分表が作成される。従来では、インターネットを通じて、このような集計比較計算された食品成分表が出来るプログラムは作成されていない。
【図面の簡単な説明】
【０００６】
【図１】この発明の一実施形態を示すプログラムのブロック図である。
【図２】メインメニューの表示、概要の説明。
【図３】計算の前提と登録及びログイン入力の表示。
【図４】ＩＤ及びパスワードの登録のログイン入力の表示。
【図５】ログイン画面の表示。
【図６】個人の食事摂取基準の選択要領、三食用及び一食用の選択の表示。
【図７】三食分の日本人の食事摂取基準、日本食品標準成分表及び料理名の選択の表示。
【図８】日本人男子用食事摂取基準一覧リスト一日（三食）用。
【図９】男子、活動レベル１、年齢７０歳以上、身長１６１、体重５９．７の食事摂取基準を表示。
【図１０】料理名リストの抜粋の表示。
【図１１】朝食、ご飯の欄が図９に追加を表示。
【図１２】日本食品標準成分表穀類リストの抜粋の表示。
【図１３】穀類／こめ／［水稲めし］／精白米４００ｇの食品標準成分表が図１１に追加を表示。
【図１４】一日分の男子、個人の食事摂取基準及び食事した食品成分成分表、並びに、集計比較計算結果を表示。
【図１５】一食分の日本人の食事摂取基準、日本食品標準成分表及び料理名の選択の表示。
【図１６】日本人女子用食事摂取基準表一覧リスト（一食用）の抜粋の表示。
【図１７】女子、活動レベル１、年齢３０歳〜４９歳、身長１５８、体重５３の食事摂取基準を表示。
【図１８】朝食、ご飯の欄が図１７に追加を表示。
【図１９】穀類／こめ／［水稲めし］／精白米１５０ｇの食品標準成分表が、図１７に追加を表示。
【図２０】卵焼きの欄が図１９に追加を表示。
【図２１】日本食品標準成分表卵類リストの表示。
【図２２】卵類／うこっけい卵／全卵、生５０ｇの食品標準成分表が、図２０に追加を表示。
【図２３】日本食品標準成分表油脂類リストの表示。
【図２４】油脂類／（植物油脂類）／オリーブ油３ｇの食品標準成分表が、図２２に追加を表示。
【図２５】日本食品標準成分表調味料及び香辛料類リストの抜粋を表示。
【図２６】調味料及び香辛料類／（食塩類）／食塩０．２ｇの食品標準成分表が、図２４に追加を表示。
【図２７】サラダの欄が図２６に追加を表示。
【図２８】日本食品標準成分表野菜類リストの抜粋を表示。
【図２９】野菜類／アスパラガス／若茎等選択した野菜の食品標準成分表が、図２７に追加を表示。
【図３０】調味料及び香辛料類／（ドレッシング類）／マヨネーズ／全卵型２０ｇが、図２９に追加を表示。
【図３１】果物の欄が図３０に追加を表示。
【図３２】日本食品標準成分表果実類リストの抜粋を表示。
【図３３】一食分の女子、個人の食事摂取基準及び食事した食品成分成分表、並びに、集計比較計算結果を表示。
【図３４】親子丼の欄の表示。
【図３５】穀類／こめ／［水稲めし］／精白米１８０ｇの食品標準成分表が、図３４に追加を表示。
【図３６】日本食品標準成分表肉類リストの抜粋を表示。
【図３７】肉類／にわとり／［若鶏肉］／もも／皮つき、生７５ｇの食品標準成分表が、図３５に追加を表示。
【図３８】料理レシピー、親子丼の食品成分表及び各成分の集計表の表示。
【発明を実施するための形態】
【０００７】  この発明の形態を、図１に示す。
各ファイルをブロックで表し、表示内容及び信号の流れを番号と方向で示されている。
【実施例】
【０００８】  この実施形態によれば、インターネットを通じ、クライアントからサーバに、リクエストすることにより、サーバからレスポンスがかえり、クライアントの元に図２が表示される。このプログラムの概要の説明を確認した後、操作要領へ進む。を選択すると、図３が表示される。
食事摂取基準及び食品標準成分表の計算に関する前提等の説明を確認後、登録又はログインへ進む、登録済みの人は、ログインへ進を、選択、初めての人は、登録へ進を、選択、図４が表示される。ログイン名ＩＤとパスワードを入力して、送信ボタンを押すと登録できる。ログインへ進む、図５が表示される。ログイン名ＩＤとパスワードを入力して、ログインボタンを押すと、ログインをすることが出来る。図６が表示される。
個人の食事摂取基準の選択要領を確認した後、三食分（一日分）か一食分を選択する。
三食用（一日分）を選ぶ場合。
三食用（一日分）に進むと図７が表示される。最初に日本人の食事摂取基準の男子用か女子用かを選択する。男子用を選択すると図８が表示される。この表から希望する。活動レベル１、年齢７０歳以上、身長１６１，体重５９．７に該当する欄と半角数の１を入力して下さい。の列の交点の空欄に、１を入力した後、入力ボタンを押し、次いで、内容を確認、ボタンを押すと図９が表示される。希望した食事摂取基準の成分表を確認することが出来る。図９の、選択に戻る。を選択すると図７が表示される。
朝食、ご飯を選ぶ場合。
料理名を選ぶ。図１０が表示される。
朝食とご飯、それぞれに該当する欄と半角数の１を入力して下さい。の列の交点の空白欄にそれぞれ１を入力した後、どちらかの入力ボタンを押し、次いで、内容の確認、ボタンを押すと図１１が表示される。朝食とご飯、の欄が図９に追加される。図１１の、選択に戻る。を選ぶと図７が表示される。
穀類を選択する。図１２が表示される。穀類／こめ／［水稲めし］／精白米に該当する欄と半角数で重量の１０倍の数を入力して下さい。の列の交点の空白欄に、重量４００ｇの場合は、４０００を入力した後、入力ボタンを押し、次いで、内容の確認、ボタンを押す。図１３が表示される。穀類／こめ／［水稲めし］／精白米４００ｇの食品標準成分表が図１１に追加表示される。図１３の、選択に戻る。を選ぶと図７が表示される。
日本食品標準成分表の分類から食事内容の食品を選び、上記のように、繰り返して、入力する事により１日分の食事内容の食品成分表が追加されて、図１４ができる。個人の食事摂取基準と集計比較計算されて、バランスのとれた食事かどうかを確認する事が出来る。
合計欄には集計比較計算された結果が成分毎に表示される。エネルギーは、４２．９ｋｃａｌの過剰、炭水化物は、−６．１ｇの不足、脂質は、２２．５ｇの過剰、炭水化物は、−２２．５ｇの不足で有ることが確認出来る。他の成分についても同様に確認することが出来る。
入力内容を空白にするには、図１４の、内容を空白にする。を選択する。
一食分を選択する場合。
図６から、一食用に進む。図１５が表示される。最初に日本人の食事摂取基準の男子一食用か、女子一食用かを選択する。女子一食用を選択すると図１６が表示される。
この表から希望する。活動レベル１、年齢３０〜４０歳、身長１５８，体重５３に該当する欄と半角数の１を入力して下さい。の列の交点の空欄に１を入力した後、入力ボタンを押し、次いで、内容の確認、ボタンを押すと図１７が表示される。希望した食事摂取基準の成分表を確認することが出来る。１７図の、選択に戻る。を選択すると図１５が表示される。
朝食一食分を選ぶ場合。
料理名を選択する。図１０が表示される。朝食とご飯、それぞれに該当する欄と半角数の１を入力して下さい。の列の交点の空白欄にそれぞれ１を入力した後、どちらかの入力ボタンを押し、次いで、内容の確認、ボタンを押すと図１８が表示される。朝食とご飯の欄が、図１７に追加される。
図１８の、選択に戻る。を選ぶと図１５が表示される。穀類を選択する。図１２が表示される。穀類／こめ／［水稲めし］／精白米に該当する欄と半角数で重量の１０倍の数を入力して下さい。の列の交点の空白欄に、重量１５０ｇの場合は、１５００を入力した後、入力ボタンを押し、次いで、内容の確認、ボタンを押す。図１９が表示される。穀類／こめ／［水稲めし］／精白米１５０ｇの食品標準成分表が図１８に追加表示される。
図１９の、選択に戻る。を選ぶと図１５が表示される。料理名を選ぶと図１０が表示される。卵焼きに該当する欄と半角数の１を入力して下さい。の列の交点の空白欄に１を入力した後、入力ボタンを押し、次いで、内容の確認、ボタンを押すと図２０が表示される。卵焼きの欄が図１９に追加される。図２０の、選択に戻る。を選ぶと図１５が表示される。
卵類を選択する。図２１が表示される。
卵類／うこっけい卵／全卵、生に該当する欄と半角数で重量の１０倍の数を入力して下さい。の列の交点の空白欄に、重量５０ｇの場合は、５００を入力した後、入力ボタンを押し、次いで内容の確認、ボタンを押す。図２２が表示される。卵類／うこっけい卵／全卵、生５０ｇの食品標準成分表が図２１に追加表示される。図２２の、選択に戻る。を選ぶと図１５が表示される。油脂類を選択する。図２３が表示される。油脂類／（植物油脂類）／オリーブ油に該当する欄と半角数で重量の１０倍の数を入力して下さい。の列の交点の空白欄に、重量３ｇの場合は３０を入力した後、入力ボタンを押し、次いで内容確認欄を押す。図２４が表示される。油脂類／（植物油脂類）／オリーブ油３ｇの食品標準成分表が図２２に追加表示される。図２３の、選択に戻る。を選ぶと図１５が表示される。調味料及び香辛料類を選択する。図２５が表示される。調味料及び香辛料類／（食塩類）／食塩に該当する欄と半角数で重量の１０倍の数を入力して下さい。の列の交点の空白欄に、重量０．２ｇの場合は２を入力した後、入力ボタンを押し、次いで、内容の確認。ボタンを押す。図２６が表示される。調味料及び香辛料類／（食塩類）／食塩０．２ｇの食品標準成分表が図２４に追加表示される。
図２６の、選択に戻る。を選ぶと図１５が表示される。料理名を選ぶと図１０が表示される。
サラダに該当する欄と半角数の１を入力して下さい。の列の交点の空白欄に１を入力した後、入力ボタンを押し、次いで、内容の確認。を押すと図２７が表示される。サラダの欄が図２６に追加される。図２７の、選択に戻る。を選ぶと図１５が表示される。野菜類を選択すると図２８が表示される。野菜類／アスパラガス／若茎２０ｇ、ゆで、野菜類／（キャベツ類）／キャベツ／結球葉、ゆで３０ｇ、野菜類／きゅうり／果実、生３０ｇ、野菜類／セロリー／葉柄、生３０ｇ、野菜類／（たまねぎ類）／たまねぎ／りん茎、水さらし２０ｇ、野菜類／（トマト類）／トマト／果実、生５０ｇ、野菜類／（にんじん類）／にんじん／根、皮つき、ゆで２０ｇ、，野菜類／（レタス類）／レタス／結球葉、生３０ｇをそれぞれ、該当する欄と半角数で重量の１０倍の数を入力して下さい。の列の交点の空白欄に、重量の１０倍の数をそれぞれ入力した後、どれかの入力ボタンを押し、次いでどれかの、内容の確認。を押すと図２９が表示される。入力されたそれぞれの食品の食品標準成分表が図２７に追加される。
図２９の、選択に戻る。を選ぶと図１５が表示される。調味料及び香辛料類を選択する。図２５が表示される。調味料及び香辛料類／（ドレッシング類）／マヨネーズ／全卵型に該当する欄と半角数で重量の１０倍の数を入力して下さい。の列の交点の空白欄に、重量２０ｇの場合は２００を入力した後、入力ボタンを押し、次いで、内容の確認。を押す。図３０が表示される。調味料及び香辛料類／（ドレッシング類）／マヨネーズ／全卵型２０ｇの食品標準成分表が図２９に追加される。図３０の、選択に戻る。を選ぶと図１５が表示される。
料理名を選ぶと図１０が表示される。
果物に該当する欄と半角数の１を入力して下さい。の列の交点の空白欄に１を入力した後、入力ボタンを押し、次いで、内容の確認。を押すと図３１が表示される。果物の欄が図３０に追加される。図３１の、選択に戻る。を選ぶと図１５が表示される。
果物を選択する。図３２が表示される。果実類／（なし類）／日本なし／生に該当する欄と半角数で重量の１０倍の数を入力して下さい。の列の交点の空白欄に、重量１００ｇの場合は１０００を入力した後、入力ボタンを押し、次いで、内容の確認。を押す。図３３が表示される。
図３３は食事摂取基準と朝食の食品成分表の集計比較計算結果が合計欄に表示されている。
エネルギーは１２．８ｋｃａｌの過剰、蛋白質は−４．１ｇの不足、脂質は１０．７ｇの過剰、炭水化物は−９．１ｇの不足が確認出来る。他の成分についても同様に確認することが出来る。
図３３の、選択に戻る。を選ぶと図１５が表示される。
料理レシピーの食品成分表を作成する場合。
図６から、三食用又は、一食用を選んで図７又は、図１５の日本食品標準成分表から料理のレシピーに従い食品を選択し、且つ食品の重さを入力することにより作成をすることが出来る。例として、親子丼のレシピー成分表を作成する。三食用に移動する。を選択する。図７が表示される。料理品名を選択すると図１０が表示される。親子丼に該当する欄と半角数の１を入力して下さい。の列の交点の空欄に１を入力した後、入力ボタンを押し、次いで、内容の確認。ボタンを押すと図３４が表示される。親子丼の欄が表示される。図３４の、選択に戻る。を選択すると図７が表示される。穀類を選択すると図１２が表示される。
穀類／こめ／［水稲めし］／精白米精に該当する欄と半角数で重量の１０倍の数を入力して下さい。の列の交点の空白欄に、重量１８０ｇの場合は、１８００を入力した後、入力ボタンを押し、次いで、内容の確認。を押す。図３５が表示される。めし精米１８０ｇの食品標準成分表が図３４追加される。
図３５の、選択に戻る。を選択すると図７が表示される。肉類を選択すると図３６が表示される。肉類／にわとり／［若鶏肉］／もも／皮つき、生に、該当する欄と、半角数で重量の１０倍の数を入力して下さい。の列の交点の空白欄に、重量７５ｇの場合は７５０を入力した後、入力ボタンを押し、次いで内容確認を押す。図３７が表示される。にわとり／［若鶏肉］／もも／皮つき７５ｇの食品標準成分表が図３５追加される。上記のように、繰り返し、料理レシピーの食品を選び、且つ重さ入力すると図３８が表示される。親子丼の食品標準成分表が作成できる。合計欄には、集計された各成分が表示される。エネルギーは６８７．２ｋｃａｌ、蛋白質は３０．７ｇ、脂質は２４．１ｇ炭水化物は７８．６ｇ、ナトリウムは１２４６．０ｍｇ、カリウムは６１４．７ｍｇ、等各成分が表示され、簡単に料理レシピーの食品成分表を作成することが出来る。
【産業上の利用の可能性】
【０００９】  個人対象の健康管理に貢献できる。習慣病の予防に役達、健康寿命が伸びて、老後の快適な生活が出来る。副次的効果として医療費、介護費用等の削減が出来る。
【符号の説明】
【００１０】１  メインメニューで操作要領等
２  操作要領への接続
３  操作要領の説明
４  クライアント名及びパスワードの登録への接続録
５  クライアント名及びパスワードの登録
６  ログインへの接続
７  ログインへの接続
８  ログイン
９  一日及び一食分の選択への接続
１０  一日及び一食分の選択
１１  一日分の食事摂取基準及び食品の分類を選択への接続
１２  一日分の個人の食事摂取基準及び食品の分類を選択
１３  食事摂取基準一覧リストへ接続
１４  食事摂取基準一覧リスト（三食分）
１５  データベースへの接続
１６  データベース
１７  一日分の個人の食事摂取基準及び選択された食品標準成分表集計比較計算表へ接続
１８  一日分の個人の食事摂取基準及び選択された食品標準成分表集計比較計算表
１９  一日分の食事摂取基準及び食品の分類を選択への接続（選択へ戻る）
２０  選択された食事標準成分表一覧リストへの接続
２１  選択された食事標準成分表一覧リスト
２２  データベースへの接続
２３  一日分の個人の食事摂取基準及び選択された食品標準成分表集計比較計算表へ接続（内容の確認）
２４  一日分の個人の食事摂取基準及び選択された食品標準成分表集計比較計算表へ接続（内容の確認）
２５  一日及び一食分の選択への接続（活動レベルの確認）
２６  一食分の食事摂取基準及び食品の分類を選択への接続
２７  一食分の個人の食事摂取基準及び選択された食品標準成分表集計比較計算表
２８  食事摂取基準一覧リストへ接続
２９  食事摂取基準一覧リスト（一食分）
３０  データベースへの接続
３１  一食分の個人の食事摂取基準及び選択された食品標準成分表集計比較計算表へ接続
３２  一食分の個人の食事摂取基準及び選択された食品標準成分表集計比較計算表
３３  一食分の食事摂取基準及び食品の分類を選択への接続（選択へ戻る）
３４  選択された食事標準成分表一覧リストへの接続
３５  選択された食事標準成分表一覧リスト
３６  データベースへの接続
３７  一食分の個人の食事摂取基準及び選択された食品標準成分表集計比較計算表へ接続（内容の確認）
３８  一食分の個人の食事摂取基準及び選択された食品標準成分表集計比較計算表へ接続（内容の確認）
３９  一日及び一食分の選択への接続（活動レベルの確認）
【図１】
2014056554.tif 000003
【図２】
2014056554.tif 000004
【図３】
2014056554.tif 000005
【図４】
2014056554.tif 000006
【図５】
2014056554.tif 000007
【図６】
2014056554.tif 000008
【図７】
2014056554.tif 000009
【図８】
2014056554.tif 000010
【図９】
2014056554.tif 000011
【図１０】
2014056554.tif 000012
【図１１】
2014056554.tif 000013
【図１２】
2014056554.tif 000014
【図１３】
2014056554.tif 000015
【図１４】
2014056554.tif 000016
【図１５】
2014056554.tif 000017
【図１６】
2014056554.tif 000018
【図１７】
2014056554.tif 000019
【図１８】
2014056554.tif 000020
【図１９】
2014056554.tif 000021
【図２０】
2014056554.tif 000022
【図２１】
2014056554.tif 000023
【図２２】
2014056554.tif 000024
【図２３】
2014056554.tif 000025
【図２４】
2014056554.tif 000026
【図２５】
2014056554.tif 000027
【図２６】
2014056554.tif 000028
【図２７】
2014056554.tif 000029
【図２８】
2014056554.tif 000030
【図２９】
2014056554.tif 000031
【図３０】
2014056554.tif 000032
【図３１】
2014056554.tif 000033
【図３２】
2014056554.tif 000034
【図３３】
2014056554.tif 000035
【図３４】
2014056554.tif 000036
【図３５】
2014056554.tif 000037
【図３６】
2014056554.tif 000038
【図３７】
2014056554.tif 000039
【図３８】
2014056554.tif 000040